(57)【要約】【課題】人や物に液体を直接つけなくても液体の効能を使用者に与えることができる液体保持具を提供する。【解決手段】液体保持具１は、シート部２Ａと、シート部２Ａと一体的に成形されると共に香水３を内包する複数の突起部２Ｂとで構成された保持シート２と、保持シート２の突起部２Ｂが破損して放出された香水３が接触できる位置即ち各突起部２Ｂに対応する位置に配置されると共に、香水３が浸透可能な素材で構成された複数の試香紙４と、壁部材６の間に保持シート２の突起部２Ｂが配置された、平板状の第１のカバー部材５と、保持シート２の各突起部２Ｂに対応する位置に保持シート２（突起部２Ｂ）に向けて屈曲可能に設けられた複数の押圧片８を有する平板状の第２のカバー部材７とを備える。突起部２Ｂは、人が指で挟んで持つ力では破損しないが、この力より大きな力が加えられると破損するよう構成されている。【選択図】図１
2012223492.tif 000002
【特許請求の範囲】
【請求項１】
液体を内包すると共に、所定の力以上で破損する保持部材と、
該保持部材から放出された前記液体が接触できる位置に配置されると共に、前記液体が浸透可能な素材で構成された基体とを備える
液体保持具。
【請求項２】
所定の間隔で複数の壁部材が設けられると共に、同壁部材の間に前記保持部材が配置された第１のカバー部材と、
前記保持部材に対応する位置に前記保持部材に向けて屈曲可能に設けられた押圧片を有する第２のカバー部材とを備え、
前記基体は、前記保持部材と前記押圧片との間に配置された
請求項１に記載の液体保持具。
【請求項３】
前記第１のカバー部材と前記第２のカバー部材が互いに着脱可能に結合され、
前記保持部材は着脱可能に配置された
請求項２に記載の液体保持具。
【請求項４】
前記保持部材と前記押圧片との間の空間において、前記基体が存在する領域と前記基体が存在しない領域とがある
請求項２または請求項３に記載の液体保持具。
【請求項５】
前記基体は、所定の孔が形成されており、
前記保持部材は、前記孔の内部に配置された
請求項１に記載の液体保持具。
【請求項６】
複数の前記保持部材がそれぞれ、前記基体に並べて形成された複数の孔それぞれの内部に配置されており、
各保持部材に内包された液体は互いに同じである
請求項５に記載の液体保持具。
【請求項７】
前記基体は、一の孔と他の孔との間の領域に、非浸透性の仕切部材を有する
請求項６に記載の液体保持具。
【請求項８】
前記基体は、前記液体と接触した場合に変色する素材で構成された
請求項１〜７のいずれか１つに記載の液体保持具。
【請求項９】
前記基体は、前記基体の孔から前記基体の側面部まで延びると共に同側面部に開口部を形成する溝部を有する
請求項５〜８のいずれか１つに記載の液体保持具。
【請求項１０】
前記基体の側面部に形成された前記開口部は、塑性的に圧潰可能である
請求項９に記載の液体保持具。
【請求項１１】
前記基体は平板状である
請求項１〜１０のいずれか１つに記載の液体保持具。
【請求項１２】
前記液体は香水である
請求項１〜１１のいずれか１つに記載の液体保持具。
【発明の詳細な説明】
【技術分野】
【０００１】
本発明は液体保持具に関する。詳しくは、例えば香水を保持するカード形状の液体保持具に係るものである。
【背景技術】
【０００２】
香水は、本来、宗教的な用途や薬用として使用されていたが、その後、楽しみや嗜みとして使用されるようになった。
そして、香水は通常、ボトルなどに入れられている。
【０００３】
例えば、特許文献１には、図５に示すような香水ボトルが記載されている。即ち、図５の右側に示されている香水ボトル１０１は、図５の中央に分割してさらに示されているケーシング１０２と、図５の左側に完全状態で示されている放出口１０４を有する透明な内側容器１０３とを備える。また、香水が充填された内側容器１０３の放出口１０４は、基礎体１０５を貫通して挿入されている吸水管１０６の形式で形成されている。また、吸水管１０６の外側末端にはスプレーヘッド１０７が取付けられており、これが、内側容器１０３内に充填された香水を放出するための作動装置として機能する。
また、内側容器１０３内に充填された香水を使用し終わった後、ネジ１１７を外した後で、内側容器１０３をケーシング１０２から取外し、同様な構造の内側容器１０３あるいは別の構造の内側容器１０３に交換できる。
【先行技術文献】
【特許文献】
【０００４】
【特許文献１】特表２０１１−５０６００１号公報
【発明の概要】
【発明が解決しようとする課題】
【０００５】
ところで、香水は、肌に直接つけたり、衣服に直接つけたりして楽しまれているが、肌や衣服に香水を直接つけ続けていると、シミが発生してしまっていた。特に、香水を使い続けていると、嗅覚が香水の香りに順応するので、香水をつけ過ぎてしまっていた。
【０００６】
そこで、肌や衣服に香水を直接つける代わりに、試香紙やハンカチなどに香水をしみ込ませて香りを楽しむことも考えられるが、従来の香水ボトルは、所定の大きさを有しているので、持ち運ぶ場合でも服のポケットには入れ難かった。
また、仮に香水を持ち運ぶとしても、ミニボトルやアトマイザーに移し替える必要があり、移し替える作業が煩わしかった。
【０００７】
本発明は、以上の点に鑑みて創案されたものであり、人や物に液体を直接つけなくても液体の効能を使用者に与えることができる液体保持具を提供することを目的とする。
【課題を解決するための手段】
【０００８】
上記の目的を達成するために、本発明の液体保持具は、液体を内包すると共に、所定の力以上で破損する保持部材と、該保持部材から放出された前記液体が接触できる位置に配置されると共に、前記液体が浸透可能な素材で構成された基体とを備える。
【０００９】
ここで、液体を内包すると共に、所定の力以上で破損する保持部材によって、例えば使用者は指で保持部材を挟んでやや強く押すだけで、保持部材を破損させて液体を放出させることができる。
【００１０】
なお、ここで言う「所定の力」とは、保持部材を指で挟んで持つときの挟む力より大きい力を意味する。
また、ここで言う「液体」には、基体に浸透可能である限り、様々な粘性を有する液体が含まれ、半液体も含まれる。
【００１１】
また、保持部材から放出された液体が接触できる位置に配置されると共に、液体が浸透可能な素材で構成された基体によって、液体、例えば香水を保持する保持部材を外出先で破損させて香水を放出させ、基体に香水を浸透させて香りを楽しむことができる。
【００１２】
また、保持部材から放出された液体が接触できる位置に配置されると共に、液体が浸透可能な素材で構成された基体によって、仮に意図せずに保持部材が破損して液体が放出されたとしても、基体が液体を吸収するので、液体保持具以外の物に液体が及ぶことはない。
【００１３】
また、本発明の液体保持具は、所定の間隔で複数の壁部材が設けられると共に、壁部材の間に保持部材が配置された第１のカバー部材と、保持部材に対応する位置に保持部材に向けて屈曲可能に設けられた押圧片を有する第２のカバー部材とを備え、基体は、保持部材と押圧片との間に配置されたものとすることができる。
【００１４】
この場合、壁部材によって、保持部材が壁部材と壁部材の間に配置されているので、保持部材に所定の力以上の力を加えて潰す際に、保持部材が壁部材に阻まれて逃げにくい。
また、壁部材を設けることによって、保持部材を配置しやすくなる。
また、壁部材によって、保持部材から放出された液体が、壁部材に阻まれて壁部材の外へ漏れにくくなる。
【００１５】
また、本発明の液体保持具において、第１のカバー部材と第２のカバー部材が互いに着脱可能に結合され、保持部材は着脱可能に配置された場合、保持部材を、第１のカバー部材と第２のカバー部材で挟んで、第１のカバー部材と第２のカバー部材を嵌合させるだけで本発明の液体保持具を製造できるので、量産が容易である。
【００１６】
また、この場合、液体を使い切っても、第１のカバー部材と第２のカバー部材を分離して、中身の保持部材を、新しい保持部材に取替え、再び第１のカバー部材と第２のカバー部材を嵌合させるだけで、再び液体保持具として使用できるので、資源の節約となる。
【００１７】
また、本発明の液体保持具において、保持部材と押圧片との間の空間において、基体が存在する領域と基体が存在しない領域とがある場合、基体がクッション性のあるものであっても、基体が存在しない領域において押圧片が直接、保持部材に力を加えることができる。
【００１８】
また、本発明の液体保持具において、基体は、所定の孔が形成されており、保持部材は、孔の内部に配置されたものとすることができる。また、このとき、複数の保持部材がそれぞれ、基体に並べて形成された複数の孔それぞれの内部に配置されており、各保持部材に内包された液体は互いに同じであるものとすることができる。
【００１９】
この場合、保持部材が、基体の孔の内部に配置されているので、保持部材が基体の表面に表出せず、本発明の液体保持具を持ち運んでいる時でも、保持部材が他の物に当たって破損し難くなる。
【００２０】
また、複数の保持部材がそれぞれ、基体に並べて形成された複数の孔それぞれの内部に配置されており、各保持部材に内包された液体は互いに同じなので、保持部材を破損させた数で、液体の放出量を把握することができる。
【００２１】
また、本発明の液体保持具において、基体は、一の孔と他の孔との間の領域に、非浸透性の仕切部材を有する場合、一の孔の内部に配置された保持部材と、他の孔の内部に配置された保持部材とがそれぞれ破損して、液体が基体に浸透しても、互いの液体が混ざることはない。
【００２２】
また、本発明の液体保持具において、基体は、液体と接触した場合に変色する素材で構成された場合、液体が放出されているかどうかを把握し易くなる。
【００２３】
また、本発明の液体保持具において、基体は、基体の孔から基体の側面部まで延びると共に側面部に開口部を形成する溝部を有する場合、孔が外気に通じているので、使用者は、液体例えば香水の香りを開口部から直接受けることができる。
【００２４】
また、このとき、基体の側面部に形成された開口部は、塑性的に圧潰可能である場合、使用者は、液体例えば香水の香りを抑えたいときに、開口部を指で潰すだけで、香りを抑えることができる。
【００２５】
また、本発明の液体保持具において、基体は平板状である場合、表裏面へ、絵柄や文字などを印刷しやすくなり、また、液体が香水であれば、団扇のように扇ぐことで、衣服や肌などに、ほのかな香りを付けることが可能となる。
【００２６】
また、本発明の液体保持具において、液体は香水であるものとすることができる。
【発明の効果】
【００２７】
本発明に係る液体保持具は、人や物に液体を直接つけなくても液体の効能を使用者に与えることができる。
【図面の簡単な説明】
【００２８】
【図１】本発明の液体保持具の第１の実施態様を示す概略分解図である。
【図２】図１の液体保持具の概略断面図である。
【図３】本発明の液体保持具の第２の実施態様を示す概略分解図である。
【図４】図３の液体保持具の概略部分断面図である。
【図５】従来の香水ボトルを示す概略図である。
【発明を実施するための形態】
【００２９】
以下、本発明の実施の形態について図面を参照しながら説明し、本発明の理解に供する。
図１は、本発明の液体保持具の第１の実施態様を示す概略分解図である。また、図２は、図１の液体保持具の概略断面図である。
【００３０】
図１及び図２に示す第１の実施態様において、本発明の液体保持具１は、シート部２Ａと、シート部２Ａと一体的に成形されると共に香水３を内包する複数（８つ）の突起部２Ｂとで構成されたビニール製の保持シート（保持部材の一例である。）２を備える。
また、内包された香水３は互いに同じものである。
【００３１】
ここで、保持シート２、特に突起部２Ｂは、人が指で挟んで持つ力では破損しないが、この力より大きな力が加えられると破損するよう構成されている。
【００３２】
また、本発明の液体保持具１は、保持シート２の突起部２Ｂが破損して放出された香水３が接触できる位置即ち保持シート２の各突起部２Ｂに対応する位置に配置されると共に、香水３が浸透可能な素材で構成された複数の試香紙（基体の一例である。）４を備える。
【００３３】
また、本発明の液体保持具１は、所定の間隔で複数の壁部材６が設けられると共に、壁部材６と壁部材６の間に保持シート２の突起部２Ｂが配置された、平板状の第１のカバー部材５を備える。
【００３４】
また、本発明の液体保持具１は、保持シート２の各突起部２Ｂに対応する位置に保持シート２（突起部２Ｂ）に向けて屈曲可能に設けられた複数の押圧片８を有する、平板状の第２のカバー部材７を備える。
【００３５】
ここで、押圧片８は、第２のカバー部材７の表面に一部を残して略円弧状のスリットを設けることで形成されており、スリットが設けられていない部分を軸にして屈曲できるようになっている。
【００３６】
また、試香紙４は、保持シート２と押圧片８との間に配置される。
【００３７】
また、第１のカバー部材５の四隅には、結合棒９が取付けられている。また、第２のカバー部材７の四隅には、図示していないが結合棒９が挿入される穴が設けられており、第１のカバー部材５と第２のカバー部材７は互いに着脱可能に結合される。
【００３８】
また、保持シート２は、第１のカバー部材５と第２のカバー部材７に挟まれて配置されるので、着脱可能に配置されることになる。
【００３９】
また、図２に示すように、保持シート２と押圧片８との間の空間において、試香紙４が存在する領域と試香紙４が存在しない領域とがあり、試香紙４が存在しない領域に向けて、押圧片８には針部１０が取付けられている。
【００４０】
本発明の液体保持具１の使用者は、保持シート２の突起部２Ｂに内包された香水３の香りを楽しむために、図２に示すように指で押圧片８を押す。
【００４１】
押された押圧片８は、保持シート２に向けて屈曲し、保持シート２の突起部２Ｂに当たって所定の力以上の力を保持シート２の突起部２Ｂに加える。このとき、保持シート２と押圧片８との間の空間において、試香紙４が存在しない領域に向けて、押圧片８には針部１０が取付けられているので、針部１０が直接、保持シート２の突起部２Ｂの位置に突き刺さり、保持シート２の突起部２Ｂが破損して、香水３が放出される。
【００４２】
また、試香紙４が、突起部２Ｂに対応する位置に配置されているので、放出された香水３は、試香紙４に浸み込む。
そして、試香紙４に浸み込んだ香水３の香りは、押圧片８を形成するために設けられたスリットも含めた、押圧片８が屈曲して生じた孔を通って外気へ拡散する。
【００４３】
ここで、本発明の液体保持具が、液体を内包すると共に、所定の力以上で破損する保持部材と、保持部材から放出された液体が接触できる位置に配置されると共に、液体が浸透可能な素材で構成された基体とを備えるのであれば、必ずしも第１のカバー部材と第２のカバー部材を備えていなくてもよいし、保持部材として、シート部と複数の突起部を有する保持シートを用いなくてもよい。
例えば、壁部材６の間に、香水を内包した球状の保持部材（例えばマイクロカプセル）を個別に配置することもできる。
【００４４】
しかし、本発明の液体保持具が、第１のカバー部材と第２のカバー部材を備えていれば、保持部材を、第１のカバー部材と第２のカバー部材で挟んで、第１のカバー部材と第２のカバー部材を嵌合させるだけで本発明の液体保持具を製造できるので、量産が容易であり、好ましい。
【００４５】
また、本発明の液体保持具が、第１のカバー部材と第２のカバー部材を備えていれば、本発明の液体保持具を持ち運んでいる時でも、保持部材が他の物に直接当たって破損することを防止できるので好ましい。
【００４６】
さらに、シート部と複数の突起部を有する保持シートを用いていれば、液体（香水）を使い切っても、第１のカバー部材と第２のカバー部材を分離して、中身の保持シートを、新しい保持シートに取替えるだけでよいので、複数の香水の一括交換が容易であり、また、再び第１のカバー部材と第２のカバー部材を嵌合させるだけで、再び液体保持具として使用できるので、資源の節約となり好ましい。
【００４７】
また、必ずしも保持シートのシート部と突起部が同一の素材で構成されていなくてもよく、互いに異なる素材で構成されていてもよい。また、必ずしも複数の突起部を設けなくてもよく、突起部は１つでもよい。
また、基体として必ずしも試香紙を用いなくてもよく、例えば綿を用いることもできる。
【００４８】
また、本発明の液体保持具が、液体を内包すると共に、所定の力以上で破損する保持部材と、保持部材から放出された液体が接触できる位置に配置されると共に、液体が浸透可能な素材で構成された基体とを備えるのであれば、必ずしも保持部材と押圧片との間の空間において、基体（試香紙）が存在する領域と基体が存在しない領域とがあるようにしなくてもよい。
【００４９】
しかし、保持部材と押圧片との間の空間において、基体が存在する領域と基体が存在しない領域とがあれば、基体がクッション性を有し、基体を介してでは保持部材に力を加え難くても、基体が存在しない領域において押圧片が直接、保持部材に力を加えることができるので好ましい。
【００５０】
なお、保持部材と押圧片との間の空間において、基体が存在する領域と基体が存在しない領域とがあれば、必ずしも、基体が存在しない領域に向けて、押圧片に針部を取付けなくてもよい。
また、保持部材と押圧片との間の空間を基体が占めてしまい、押圧片が必ず基体を介して保持部材を押す場合、押圧片に針部を取付けることが好ましい。
【００５１】
また、本発明の液体保持具が、液体を内包すると共に、所定の力以上で破損する保持部材と、保持部材から放出された液体が接触できる位置に配置されると共に、液体が浸透可能な素材で構成された基体とを備えるのであれば、必ずしも第１のカバー部材に所定の間隔で複数の壁部材を設けなくてもよい。
【００５２】
しかし、所定の間隔で複数の壁部材を設けていれば、保持部材が壁部材と壁部材の間に配置されているので、保持部材に所定の力以上の力を加えて潰す際に、保持部材が壁部材に阻まれて逃げ難いうえに、保持部材を配置しやすくなり、さらに、保持部材から放出された液体が、壁部材に阻まれて壁部材の外へ漏れにくくなり、好ましい。
【００５３】
また、本発明の液体保持具が、液体を内包すると共に、所定の力以上で破損する保持部材と、保持部材から放出された液体が接触できる位置に配置されると共に、液体が浸透可能な素材で構成された基体とを備えるのであれば、必ずしも保持部材に内包された液体は互いに同じでなくてもよい。
【００５４】
しかし、保持部材に内包された液体が互いに同じであれば、保持部材を破損させた数で、液体の放出量を把握することができるので好ましい。特に液体が香水であれば、香水の継続使用により嗅覚が香水に順応してしまい、香水の適量が判らなくなっても、客観的に使用者にとっての適量を把握できて好ましい。
【００５５】
図３は、本発明の液体保持具の第２の実施態様を示す概略分解図である。また、図４は、図３の液体保持具の概略部分断面図である。
【００５６】
図３及び図４に示す第２の実施態様において、本発明の液体保持具１は、香水３を内包すると共に、所定の力以上で破損する複数（３つ）の樹脂製のマイクロカプセル（保持部材の一例）１１を備える。
また、内包された香水３は互いに同じものである。
【００５７】
ここで、マイクロカプセル１１は、人が指で挟んで持つ力では破損しないが、この力より大きな力が加えられると破損するよう構成されている。
【００５８】
また、本発明の液体保持具１は、マイクロカプセル１１が破損して放出された香水３が接触できる位置即ち並べて形成された複数（３つ）の孔４Ａそれぞれの内部にマイクロカプセル１１がそれぞれ配置されると共に、香水３が浸透可能な素材で構成された試香紙４を備える。
また、孔４Ａは、マイクロカプセル１１が内部に配置できる程度の径を有する。
【００５９】
また、試香紙４は、一の孔と他の孔との間の領域に、非浸透性の仕切部材４Ｂを有する。
また、試香紙４は、香水３と接触した場合に変色する素材で構成されている。
【００６０】
また、試香紙４は、試香紙４の孔４Ａから試香紙４の側面部まで延びると共に側面部に開口部４Ｃを形成する溝部４Ｄを有する。
また、試香紙４の側面部に形成された開口部４Ｃは、塑性的に圧潰可能である。
【００６１】
また、本発明の液体保持具１は、試香紙４の両面に積層された印刷紙１２を備える。また、印刷紙１２には、試香紙４の複数の孔４Ａそれぞれに対応する位置に、複数（３つ）の孔１２Ａがそれぞれ形成されている。また、印刷紙１２には、例えば、会社の広告が印刷されていたり、「香りのいわれ」についての文章が印刷されていたりする。
【００６２】
また、本発明の液体保持具１は、印刷紙１２に積層された透明フィルムシート１３を備える。
【００６３】
本発明の液体保持具１の使用者は、マイクロカプセル１１に内包された香水３の香りを楽しむために、図４に示すように、最も外側に積層された透明フィルムシート１３を介して、指でマイクロカプセル１１を押し潰す。
【００６４】
そして、押し潰されたマイクロカプセル１１から香水３が放出され、放出された香水３は、マイクロカプセル１１の周囲にある試香紙４に浸み込む。そして、試香紙４に浸み込んだ香水３の香りは、溝部４Ｄを通って外部へ拡散したり、透明フィルムシート１３などが積層されていない、試香紙４の側面部から外気へ拡散したりする。
【００６５】
ここで、本発明の液体保持具が、液体を内包すると共に、所定の力以上で破損する保持部材と、保持部材から放出された液体が接触できる位置に配置されると共に、液体が浸透可能な素材で構成された基体とを備えるのであれば、必ずしも基体（試香紙）に孔が形成されなくてもよく、また、保持部材（マイクロカプセル）が孔の内部に配置されていなくてもよい。
【００６６】
しかし、保持部材が、基体の孔の内部に配置されていれば、保持部材が基体の表面に表出せず、本発明の液体保持具を持ち運んでいる時でも、保持部材が他の物に当たって破損し難くなるので好ましい。
【００６７】
また、本発明の液体保持具が、液体を内包すると共に、所定の力以上で破損する保持部材と、保持部材から放出された液体が接触できる位置に配置されると共に、液体が浸透可能な素材で構成された基体とを備えるのであれば、必ずしも基体は、一の孔と他の孔との間の領域に、非浸透性の仕切部材を有していなくてもよい。
【００６８】
しかし、基体が、一の孔と他の孔との間の領域に、非浸透性の仕切部材を有していれば、一の孔の内部に配置された保持部材と、他の孔の内部に配置された保持部材とがそれぞれ破損して、液体が基体に浸透しても、互いの液体が混ざることはないので、液体を混ぜたくないときには好ましい。
【００６９】
また、本発明の液体保持具が、液体を内包すると共に、所定の力以上で破損する保持部材と、保持部材から放出された液体が接触できる位置に配置されると共に、液体が浸透可能な素材で構成された基体とを備えるのであれば、必ずしも基体は、液体と接触した場合に変色する素材で構成されていなくてもよい。
【００７０】
しかし、基体が、液体と接触した場合に変色する素材で構成されていれば、液体が放出されているかどうかを把握し易くなるので好ましい。
【００７１】
また、本発明の液体保持具が、液体を内包すると共に、所定の力以上で破損する保持部材と、保持部材から放出された液体が接触できる位置に配置されると共に、液体が浸透可能な素材で構成された基体とを備えるのであれば、必ずしも基体は、基体の孔から基体の側面部まで延びると共に側面部に開口部を形成する溝部を有していなくてもよい。
【００７２】
しかし、基体が、基体の孔から基体の側面部まで延びると共に側面部に開口部を形成する溝部を有していれば、孔が外気に通じているので、使用者は、液体例えば香水の香りを開口部から直接受けることができ、好ましい。
【００７３】
また、本発明の液体保持具が、液体を内包すると共に、所定の力以上で破損する保持部材と、保持部材から放出された液体が接触できる位置に配置されると共に、液体が浸透可能な素材で構成された基体とを備えるのであれば、必ずしも基体の側面部に形成された開口部は、塑性的に圧潰可能でなくてもよい。
【００７４】
しかし、基体の側面部に形成された開口部が、塑性的に圧潰可能であれば、使用者は、液体例えば香水の香りを抑えたいときに、開口部を指で潰すだけで、香りを抑えることができるので、途中で香りを抑えたいときには好ましい。
【００７５】
また、第１の実施態様及び第２の実施態様において、液体の例として香水を挙げて説明したが、必ずしも香水でなくてもよく、例えば喘息用の薬剤であってもよい。
【００７６】
また、第１の実施態様及び第２の実施態様において、本発明の液体保持具は平板状であるが、必ずしも平板状でなくてもよく、例えば棒状であってもよい。棒状の場合、保持部材を潰しやすい。
【００７７】
また、第１の実施態様及び第２の実施態様において、本発明の液体保持具は、平面視した場合にカード形状であるが、必ずしもカード形状でなくてもよく、例えば平面視した場合にキャラクターの形状であってもよい。
【００７８】
また、孔を複数形成しているが、孔は１つでもよく、その１つの孔の内部に１つのマイクロカプセルを配置するようにしてもよい。
【００７９】
以上のように、本発明の液体保持具は、液体を内包すると共に、所定の力以上で破損する保持部材を備えるので、使用者は指で保持部材を挟んでやや強く押すだけで、保持部材を破損させて液体を放出させることができる。
【００８０】
また、本発明の液体保持具は、保持部材から放出された液体が接触できる位置に配置されると共に、液体が浸透可能な素材で構成された基体を備えているので、液体、例えば香水を保持する保持部材を外出先で破損させて香水を放出させ、基体に香水を浸透させて香りを楽しむことができる。
【００８１】
従って、本発明の液体保持具は、使用者が指で保持部材を挟んでやや強く押すだけで、人や物に液体を直接つけなくても液体の効能を使用者に与えることができる。
【００８２】
また、香水入りのミニボトルをポケットやカバンに入れていると、ミニボトルが破損したときにポケットやカバンに香水がかかってしまうが、本発明の液体保持具であれば、保持部材から放出された香水が接触できる位置に配置されると共に、香水が浸透可能な素材で構成された基体が香水を吸収するので、ポケットやカバンなどに本発明の液体保持具を入れておいても、ポケットやカバンなどに香水がかかることはない。
【００８３】
さらに、本発明の液体保持具であれば、複数の突起部や複数のマイクロカプセルに分けて香水が内包されるので、香水入りのミニボトルが破損して放出される香水の量よりも、香水の放出量は圧倒的に少ない。
従って、香水入りのミニボトルよりも、ポケットやカバンを汚し難い。
【００８４】
従って、本発明の液体保持具は、肌や衣服にシミをつける心配がなく、携帯性も良い。
また、携帯性が良いので、携帯するために香水をアトマイザーなどに移し替える必要もない。
【００８５】
また、本発明の第１の実施態様の液体保持具は、図１及び図２から明らかなように、基体（試香紙）が保持部材（保持シート）の一方側にのみ配置されており、しかも放出された液体（香水）は試香紙に浸み込むので、香水が集中して試香紙に浸み込むことができ、香りの時間を特定することができる。
従って、短期的に集中して香りを楽しみたい場合に、便利である。
【００８６】
また、本発明の第２の実施態様の液体保持具は、図３及び図４から明らかなように、基体（試香紙）が保持部材（マイクロカプセル）の周囲に配置されているので、放出された液体（香水）は試香紙に浸み込んで四方に拡がり、香りが長持ちする。
【００８７】
また、同じ香水が、複数の突起部に内包されていたり、複数のマイクロカプセルに内包されていたりするので、潰す突起部やマイクロカプセルの数を調整することで、芳香量を調整することができる。
【符号の説明】
【００８８】
１    液体保持具
２    保持シート
２Ａ  シート部
２Ｂ  突起部
３    香水
４    試香紙
４Ａ  孔
４Ｂ  仕切部材
４Ｃ  開口部
４Ｄ  溝部
５    第１のカバー部材
６    壁部材
７    第２のカバー部材
８    押圧片
９    結合棒
１０    針部
１１    マイクロカプセル
１２    印刷紙
１２Ａ  孔
１３    透明フィルムシート
【図１】
2012223492.tif 000003
【図２】
2012223492.tif 000004
【図３】
2012223492.tif 000005
【図４】
2012223492.tif 000006
【図５】
2012223492.tif 000007